(57)【要約】【課題】  食器洗い機は、洗浄水やすすぎ水をヒータで加熱して温度を上げて使用するため、洗浄ポンプ駆動用のモータの周囲に洗浄水やすすぎ水の熱が伝わり、モータの駆動熱と合わせてモータが高温になる。【解決手段】  洗浄ポンプ駆動用モータに回転数を制御可能なＤＣブラシレスモータを用い、洗浄水やすすぎ水の温度が加熱により高くなるにつれて、モータの回転数が低くなるように制御を行うことにより、洗浄力を低下させずに、高温によるモータの故障を抑えることができる。【選択図】  図５
2006020737.tif 000002
【特許請求の範囲】
【請求項１】
洗浄を行う食器を収納する洗浄槽と、洗浄水を加圧するポンプと、該ポンプを駆動する制御可能なモータと、前記加圧された洗浄水を前記洗浄槽内に噴射するノズルと、前記洗浄水を加熱する加熱手段とを備えた食器洗い機において、
洗浄工程時に前記加熱手段を動作させ、前記洗浄水の温度上昇に応じて、前記モータの回転数を低くすることを特徴とする食器洗い機。
【請求項２】
洗浄を行う食器を収納する洗浄槽と、すすぎ水を加圧するポンプと、該ポンプを駆動するモータと、前記加圧されたすすぎ水を前記洗浄槽内に噴射するノズルと、前記すすぎ水を加熱する加熱手段とを備えた食器洗い機において、
すすぎ工程時に前記加熱手段を動作させ、前記すすぎ水の温度が低いときには前記モータの回転数を高くし、前記すすぎ水の温度が高いときには前記モータの回転数を低くすることを特徴とする食器洗い機。
【請求項３】
請求項１または２において、
前記洗浄水または前記すすぎ水の温度が所定の温度より高いときに、前記洗浄水またはすすぎ水の温度が上昇するにつれ、前記モータの回転数を低くすることを特徴とする食器洗い機。
【請求項４】
請求項１または２において、
前記洗浄水または前記すすぎ水の温度が所定の温度になってから所定の時間経過後に前記モータの回転数を低くすることを特徴とする食器洗い機。
【請求項５】
請求項１乃至４のいずれかにおいて、
前記洗浄水または前記すすぎ水の温度を検出する温度検出手段を備え、前記温度検出手段の検出温度に応じて、前記モータの回転数を制御することを特徴とする食器洗い機。
【請求項６】
請求項１乃至４のいずれかにおいて、
前記加熱手段を動作させた時間に応じて前記モータの回転数を制御することを特徴とする食器洗い機。
【請求項７】
請求項５または６において、
前記モータの回転数は、前記検出温度または前記加熱手段を動作させた時間に対して直線的に回転数を変化させることを特徴とする食器洗い機。
【請求項８】
請求項５または６において、
前記モータの回転数は、前記検出温度または前記加熱手段を動作させた時間に対して、段階的に回転数を変化させることを特徴とする食器洗い機。
【発明の詳細な説明】
【技術分野】
【０００１】
本発明は食器洗い機に関する。
【背景技術】
【０００２】
食器洗い機は、洗浄槽の内部に食器を収納し、洗い工程では、ノズルから洗浄水を食器に向けて噴射することにより、食器の洗浄を行う。また、すすぎ工程では、ノズルからすすぎ水を食器に向けて噴射することにより、食器をすすぐ。食器洗浄機には、ヒータが設けてあり、洗い工程や加熱すすぎ工程時にヒータに通電して洗浄水やすすぎ水の温度を上昇させて洗浄力やすすぎ力を向上させたものがある。特開平１１−２６７０８５号公報（特許文献１）に記載の発明では、ヒータの出力を上げて素早く温度上昇させるために、洗浄水やすすぎ水を加圧する洗浄ポンプのモータの回転数をヒータ使用時には低くして出力を下げている。
【０００３】
【特許文献１】特開平１１−２６７０８５号公報
【発明の開示】
【発明が解決しようとする課題】
【０００４】
特許文献１に記載の発明は、洗浄ポンプを駆動するモータの温度上昇については考慮していない。洗浄槽に洗浄水やすすぎ水を噴射するために洗浄水やすすぎ水を加圧する洗浄ポンプは、洗浄槽の底面部の狭い空間に配置されており、洗浄水を駆動するモータは、駆動により生じた熱を洗浄水またはすすぎ水等に放熱をしてモータの温度を所定の範囲に保っている。しかし、洗浄水やすすぎ水が加熱され高温になったときには、モータは洗浄水やすすぎ水等へ十分に放熱を行うことができなくなり、モータの温度が高騰して故障する恐れがある。
【０００５】
本発明はかかる問題を解決するため、洗浄率を確保し且つ洗浄ポンプ駆動用のモータの温度上昇を抑えることを目的とする。
【課題を解決するための手段】
【０００６】
本発明は、上記の課題を解決するための、洗浄を行う食器を収納する洗浄槽と、洗浄水を加圧するポンプと、前記ポンプを駆動する制御可能なモータと、前記加圧された洗浄水を前記洗浄槽内に噴射するノズルと、前記洗浄水を加熱する加熱手段とを備えた食器洗い機において、洗浄工程時に前記加熱手段を動作させ、前記洗浄水の温度上昇に応じて、前記モータの回転数を低くすることを特徴とする食器洗い機である。
【０００７】
また、本発明は、洗浄を行う食器を収納する洗浄槽と、すすぎ水を加圧するポンプと、前記ポンプを駆動するモータと、前記加圧されたすすぎ水を前記洗浄槽内に噴射するノズルと、前記すすぎ水を加熱する加熱手段とを備えた食器洗い機において、すすぎ工程時に前記加熱手段を動作させ、前記すすぎ水の温度が低いときには前記モータの回転数を高くし、前記すすぎ水の温度が高いときには前記モータの回転数を低くすることを特徴とする食器洗い機である。
【発明の効果】
【０００８】
本発明によれば、洗浄水の温度が低い時には、モータを高回転にして主に洗浄水の噴射圧で洗浄を行い、洗浄水の温度が高いときには、主に油分を洗浄水に溶解させる洗浄を行う。このようにすることで、洗浄率を確保し、洗浄水が高温のときにはモータの回転数を低くしてモータの温度上昇を抑えて、熱による故障を防ぐことができる。
【発明を実施するための最良の形態】
【０００９】
以下本発明の実施例を添付の図面を用いて説明する。
【実施例１】
【００１０】
図１に本発明の一実施例である食器洗い機の正面外観図を示す。前面にはドア開閉用のアーム１があり、このアーム１を押すことによりドアロックが解除され、取っ手２が付いた下扉４と上扉３とがほぼ同時に開く。また食器洗い機の下部には操作表示部５があり、スタートボタン６を押すことにより食器洗浄運転を開始する。操作表示部５の裏側には制御手段であるコントローラ７が内蔵されている。
【００１１】
図２は、本発明の一実施例による食器洗い機を正面から見た縦断面図である。食器洗い機の内部には、食器１５を収納する洗浄槽８が備えられており、洗浄槽８の下部には、洗浄槽８内に貯溜した洗浄水を吸込み加圧して吐出す洗浄ポンプ９と、加圧された洗浄水を洗浄槽８内に配置された上カゴ１０と下カゴ１１の食器に向けて噴射する洗浄ノズルが備えられている。洗浄ノズルは上カゴ１０の上部と下カゴ１１の下部または横部の任意の位置に任意の個数取付けられている。本実施例の食器洗い機においては、下カゴ１１の下部方向に２個の回転ノズル１２、その２個の回転ノズル１２の中央近傍に配置した１個の固定ノズル３２と上カゴ１０の上部方向に複数の噴射孔を持つ８個の固定ノズル１３が設置されている。これらのノズルへの洗浄水の供給の有無は、水流切替え装置（図示せず）により独立して切替えることができる。
【００１２】
食器洗い機は、洗浄ポンプ９で加圧された洗浄水を洗浄ノズルより食器１５に噴射することにより、食器１５に付着している汚れを洗浄する。洗浄を行った洗浄水は、残菜が中に溶解又は混合し、洗浄槽８の底部及び洗浄ポンプ９の吸込側途中に設置されている残菜フィルター１４により、洗浄した残菜がこし取られる。このように食器洗い機は、洗浄槽８内に貯溜されている洗浄水を洗浄ポンプ９により循環しながら、上カゴ１０と下カゴ１１に収納されている食器１５を洗浄するものである。また、残菜フィルター１４の下部には洗浄水を加熱するための洗浄水用ヒータ１６があり、洗浄水を加熱することによって、洗浄力を向上させている。
【００１３】
洗浄、すすぎが終了すると食器１５を乾燥させる。乾燥用の送風を行う乾燥用ファン１７と、乾燥用ファン１７から送風された風を加熱するための温風用ヒータ１８を動作させて食器１５を乾燥する。温風用ヒータ１８にはＰＴＣ(Positive Temperature Coefficient)ヒータを使用しているので、洗浄用ヒータ１６を乾燥用に兼用した場合に比較して電流の変化が少なく、雑音に与える影響が小さて信頼性が高い。また、ＰＴＣヒータは風量が少なくなり高温になると発熱量が低下するので、過加熱を防止することができる。洗浄槽８内には洗浄水の水温を検出するため温度検出手段であるサーミスタ１９が設けられている。サーミスタ１９は、温度の検出感度を良くするために直接洗浄槽８内に突き出している構造としている。そのため、耐食性及び熱伝導が良い材料としてステンレスやセラミックなどでサーミスタ１９の外郭を構成したものを用いている。
【００１４】
図３は、本発明の一実施例の食器洗い機を制御する制御回路のブロック図である。
【００１５】
電源２０には、コンセント２１を介して順番に電源スイッチ２２、電源フィルター回路２３、整流回路２４、インバータ駆動回路２５、ＤＣブラシレスモータ２６が接続されている。本実施例では、ＤＣブラシレスモータ２６の巻線には、巻線の異常温度を検知してＯＦＦ動作を行う保護装置２７が三相の巻線のうち二相に直列に入っているが、電流検知回路があるものでは省略することもある。
【００１６】
整流回路２４とインバータ駆動回路２５の間にはＤＣブラシレスモータ２６の巻線に流れる電流を検知する電流検知回路２８がついている。ＤＣブラシレスモータ２６には、ロータの回転位置を検出するための回転位置センサ２９がついている。回転位置センサ２９は、モータの回転数を検知するとともにＤＣブラシレスモータ２６の回転数を制御するために使用し、検出素子にはホールＩＣが使用されている。マイコン３０はモータや操作表示部５等の制御を行っている。マイコン３０は制御電源３１から直流の低圧電源を供給されている。また、マイコン３０には温度検出用のサーミスタ１９が接続されており洗浄水の温度を検知している。なお、本実施例では、ＤＣブラシレスモータ２６の制御に回転位置センサを使用しているが回転位置センサ無しで制御してもよい。
【００１７】
図４は本発明の一実施例を示す食器洗浄運転の工程のフローを示す。洗浄を行う食器を食器洗い機内にセットした後に、操作表示部５のスタートボタン６を押すことにより、食器洗い機は食器洗浄運転を開始する。食器洗浄運転では、最初に排水ポンプ（図示せず）が始動して洗浄槽８内に洗浄水が残らないように排水を行う。排水が完了したら、食器洗い機に接続された水道から洗浄槽８内に給水を行う。給水が完了すると洗浄工程に入る。洗浄工程では、給水された水道水に洗剤が溶かされて洗浄水になり、洗浄ポンプが作動して洗浄ノズルから洗浄水が勢いよく噴射され、洗浄水が食器１５に当たって、食器１５に付着している残菜を取り除く。このときにヒータ１６が動作し、所定温度の６０℃まで洗浄水の温度を上昇させながら洗浄を行い、６０℃に到達したらヒータ１６のＯＮ−ＯＦＦ制御により温度を一定に保時して洗浄を行う。温度は洗浄槽内の水量とヒータ１６の容量で決まり本実施例では約１．８℃／分となっている。所定の時間、洗浄を行うと洗浄水を排水し、水道水を給水してすすぎ１を実行する。すすぎ１はヒータを動作させず、すすぎ水を洗浄ポンプで加圧し、加圧された洗浄水がノズルから食器１５に向かって噴出する。すすぎ運転を１〜２分運転を行った後に排水し、さらに給水を行いすすぎ２をすすぎ１と同様に実行する。すすぎ２が終わると、排水と給水を行い、加熱すすぎを行う。加熱すすぎ工程では、ヒータ１６を動作させてすすぎ水の水温を７０〜８０℃の所定温度まで上昇させながら、すすぎ水をノズルから食器１５に噴出する。加熱すすぎは、すすぎ水の温度が上記所定温度に到達するまで行われる。加熱すすぎが終了するとすすぎ水を排水し、温風用ヒータ１８に送風して作った温風を食器に吹きかけて食器を乾燥させる。湿度センサ（図示せず）を備えたものでは、検出湿度が所定の湿度に到達したら乾燥運転を終了し、湿度センサの無いものでは、所定の時間、乾燥運転を行って終了する。
【００１８】
図５（ａ）に、本発明の一実施例の運転時間に対する洗浄水の温度とモータ２６の回転数の関係を、図５（ｂ）に洗浄水の温度とモータの回転数の関係を示す。本実施例では、洗浄水の温度をサーミスタ１９で検出し、検出温度に応じてモータ２６の回転数の制御を行う。洗浄水の温度が低いときにはモータ２６の回転数を高くし、洗浄水の温度が高いときにはモータ２６の回転数を低くする。
【００１９】
給水時の洗浄水の温度が３０℃の場合の洗浄水の温度の時間変化をＴ１で表す。洗浄水を加熱するヒータの発熱量は一定なので、洗浄水の温度Ｔ１は設定された温度の６０℃まで直線的に上昇する。このとき、モータ２６の回転数Ｎ１は、洗浄水の温度に連動して図５（ｂ）に示すように制御され、洗浄水の温度上昇に伴い回転数が徐々に低くなるように制御される。すなわち、洗浄工程開始直後にモータ２６の回転数が最も高く、洗浄水がヒータ１６で加熱されサーミスタ１９の検出温度が上昇するにしたがってモータ２６の回転数は低くなり、洗浄水の温度Ｔ１が所定値の６０℃に達し一定に制御されるとモータ回転数Ｎ１も一定に制御される。
【００２０】
また、給水時の洗浄水の温度が０℃の場合の洗浄水の温度の時間変化をＴ２で示す。洗浄工程開始直後のモータ２６の回転数Ｎ２は温度が３０℃の場合の回転数Ｎ１に比べて高く、洗浄水がヒータ１６で加熱されサーミスタ１９の検出温度が上昇するにしたがって、モータ２６の回転数Ｎ２は低くなるように制御され、洗浄水の温度Ｔ２が所定温度に達し一定に制御されると、モータ２６の回転数も一定に制御される。
【００２１】
本方式では、サーミスタ１９により検出された洗浄水の温度にリンクしてモータ２６の回転数を制御しており、設定温度に対するモータ２６の回転数の誤差をなく制御できる。
【００２２】
図１１に洗浄水の温度と洗浄率の関係を、図１２に洗浄ポンプ９を駆動するモータ２６の回転数と洗浄率の関係を示す。洗浄率は、洗浄後の各食器に対して汚れの度合いを目視で判定し、汚れが無い場合は２点、汚れが少ない場合は１点、汚れが多い場合は０点を加算する。そして、分子はその汚れ度合いの点数の合計とし、分母は２×食器点数としたものを％で表示したものであり、洗浄後の汚れが少ないほど洗浄率は増加する。
【００２３】
図１１は一定時間、一定温度で洗浄運転した時の洗浄水の温度と洗浄率の関係を示す。洗浄水の温度が低い点のａでは、主に食器１５に付着した固形物を洗浄水の噴射圧により除去しており、油分は溶解せずに残留しているので洗浄率は低くなる。温度が高くなるｂでは高温の洗浄水への油分溶解し易くなり、洗浄水の噴射圧による洗浄に加えて油分の洗浄水への溶解があるため、洗浄率が高くなる。ｃでは油分がほぼ完全に溶解することにより洗浄率が向上し、洗浄水の温度に対してほぼ飽和した状態となる。
【００２４】
図１２は洗浄水の温度を０℃、４５℃及び６０℃にしたときのモータ２６の回転数と洗浄率の関係を示す。これによると、モータ２６の回転数が高くなると洗浄ポンプの圧力が増加し、洗浄ノズルから噴射される水流の速度が速くなり、食器に付着している残采を洗い流す力が強くなるため、洗浄効率が向上する。洗浄水の温度が低い０℃のときには、洗浄は洗浄水の噴射圧による残菜の洗い流しによるものがほとんどとなるので、モータの回転数と洗浄率の相関が大きく、モータ２６の回転数を高くすることにより洗浄率が大きく上昇して行く。一方で、洗浄水の温度が高い４５℃、６０℃のときには、洗浄水の噴射圧による洗い流しに加えて、高温の洗浄水への油分の溶解により洗浄を行うので、モータ２６の回転数と洗浄率の相関が小さくなり、モータ２６の回転数を高くしても洗浄率の変化は小さい。そして、洗浄水の温度が６０℃のときには、回転数2400〜2600r/minでの洗浄率の変化はほとんど見られていない。従って、洗浄水の温度が高い場合には、モータ２６の回転数を低くしても洗浄率の低下はほとんど起こらない。
【００２５】
図１３はモータ２６の回転数とモータ２６の温度との関係を示す。これによると、モータ２６の回転数が上がるほどモータ２６の温度は急激に高くなる傾向にあり、高回転時には周囲への放熱が無いと規格値以下に温度を下げることができないので、高回転のモータ２６を使用する場合には温度管理の注意が必要である。食器洗い機の洗浄ポンプ９は、洗浄槽８の底面部の狭い空間に配置されており、洗浄水の温度の影響を受けやすい。洗浄水の温度が低いときには、洗浄水の噴射圧を高くするためにモータ２６を高速回転させても、モータ２６から発生した熱は洗浄水が吸収するため、モータ２６の温度は高くならない。しかし、洗浄水の温度が高いときに、モータ２６を高速回転させると、モータ２６から発生した熱は十分に洗浄水に放熱できず、モータ２６が高温になって故障する恐れがある。そこで、洗浄水が高温になったときには、モータ２６の回転数を低くしてモータ２６自身の発熱量を減らし、モータ２６の温度の上昇を抑えることが好ましい。
【００２６】
つまり図５（ａ）に示すように、回転数の制御が可能なモータ２６を用い、洗浄水の水温が低い段階では、モータ２６の回転数を高くして噴射圧を増加させて噴射し、主に水溶性のものや非水溶性の固形分を噴射圧で除去する洗浄を行い、洗浄水の水温が高い時には、高温の洗浄水に油分を溶解させる洗浄へシフトする。このようにすることで、洗浄水の温度が低いときにモータ２６を高速回転させて洗浄水の噴射圧を上げ、洗浄率を向上させることができる。そして洗浄水の温度が低いときには、モータ２６の回転数を高くしても洗浄水への放熱によりモータ２６の温度上昇は抑えられ、洗浄水の温度が高いときにはモータ２６の回転数を低くしモータ２６自身の発熱を抑え、モータ２６の温度上昇を抑える。このような運転を行うことで、洗浄率を向上させ、且つモータ２６の熱による故障を防止して信頼性を上げることができる。
【実施例２】
【００２７】
実施例１では、マイコンは常に温度検知とモータ２６の制御とを行うため、処理能力が大きいものが必要である。本実施例は、マイコンの負荷を小さくし、処理能力の高くないマイコンを使用可能にする実施例である。
【００２８】
図６（ａ）に、本実施例の運転時間に対する洗浄水の温度とモータ２６の回転数の関係を、図６（ｂ）にヒータ１６の加熱時間とモータ２６の回転数の関係を示す。給水時の洗浄水の温度が１５℃の場合の洗浄水の温度変化をＴ３で表す。洗浄水を加熱するヒータ１６の発熱量は一定なので、設定された温度まで直線的に上昇する。本実施例では、給水時の洗浄水の温度を適当な温度（本実施例では１５℃）と仮定し、ヒータ１６の加熱時間に応じてモータ２６の回転数Ｎ３を制御する。給水時に１５℃であった洗浄水の温度Ｔ３は、ヒータ１６による加熱により所定の速度で上昇し、設定温度に到達するとヒータ１６をＯＮ−ＯＦＦして一定温度に保持する。１５℃の洗浄水が６０℃に達する時間をｔ３とする。モータ２６の回転数Ｎ３は、ヒータ１６を使用した時間に応じて徐々に減少し、洗浄水が設定温度に達する時間であるｔ３を過ぎた後は、一定回転数に制御される。
【００２９】
本実施例では、図６（ｂ）に示すようにヒータ１６の加熱時間によりモータ２６の回転数を制御するので、給水時の洗浄水の温度が３０℃や０℃のときも、モータ２６の回転数は同じく回転数Ｎ３に制御される。つまり、給水時の洗浄水の温度が３０℃の場合、洗浄水の温度変化はＴ１のようになるが、モータ２６の回転数は同様に回転数Ｎ３のように制御される。また、給水時の洗浄水の温度が０℃の場合、洗浄水の温度変化はＴ２のようになるが、モータ２６の回転数は同様に回転数Ｎ３のように制御される。
【００３０】
このように制御を行うことで、洗浄率を向上させ、且つモータの熱による故障を防止して信頼性を上げることができる。また、実施例１に比べてマイコンは常に温度検知とモータ制御を行う必要は無く、マイコンの負荷を小さくすることができる。
【実施例３】
【００３１】
図７（ａ）に本発明の他の実施例の運転時間と洗浄水の温度とモータ２６との回転数の関係を、図７（ｂ）洗浄水の温度とモータ２６の回転数の関係を示す。本実施例では、洗浄水の温度が所定の温度に達するまでは、モータ２６の回転数を一定にし、所定の温度を超えたときに、温度に応じてモータ２６の回転数を低くする。洗浄水の温度が高いときのみモータ２６の回転数を低くしてモータ２６の温度上昇を抑えればよいので、洗浄水が所定の温度以下のときにはモータの回転数を一定にして、洗浄水の噴射圧を高くして洗浄を行い、所定の温度が超えたときにモータの回転数を低くしてモータの温度上昇を抑制する。これによって、モータが高回転である領域が広くなるので、洗浄率が向上し、モータの熱による故障を防止して信頼性を上げることができる。
【実施例４】
【００３２】
図８に本発明の他の実施例の運転時間と洗浄水の温度とモータ２６との回転数の関係を示す。本実施例では、洗浄水の温度が所定の温度である６０℃になって所定の時間ｔ４が経ってから、モータ２６の回転数を低くする。モータ２６の温度は、洗浄水の温度が一定になった後も、モータ２６の発熱と放熱の均衡が取れた温度まで上昇する。そのため、モータ２６の耐熱規格値によっては、このような制御を行っても、熱によるモータ２６の故障を防止できる。
【実施例５】
【００３３】
図９（ａ）に、本発明の他の実施例の運転時間と洗浄水の温度とモータ２６の回転数との関係を、図９（ｂ）に洗浄水の温度とモータ２６の回転数との関係を示す。本実施例では、モータ２６の回転数を段階的に制御する。本実施例のモータ２６の回転数は３段階になっており、ほぼ均等に配分されている。これらはモータ２６の回転数の中心値に対して±３〜１０％位の範囲に設定されている。中心値が２６００ｒ／ｍｉｎとすると±７８〜２６０ｒ／ｍｉｎとなる。また、本実施例では回転数は３段階であるが、２段階以上であればほぼ同様の効果が得られる。なお、本実施例では各モータ２６の回転数の運転時間は均等配分になっているが、洗浄率向上のために、モータ２６の回転数が高い領域を大きくし、洗浄水の温度が十分に高くなってからモータ２６の回転数を低くして、モータ２６の回転の低い運転時間を短くしてもよい。また、モータ２６の回転数は、洗浄水の中にあるサーミスタ１９の温度を検知して洗浄水の温度にリンクさせて、設定温度になってからモータの回転数を低下させても良く、所定の運転時間により段階的に回転数を変化させても良い。また、段階制御の場合は、温度範囲データに対する回転数のデータを数段だけ記憶させておけばよいので、連続的に温度と回転数を制御する時に比較してマイコンの処理能力の低減できる。
【００３４】
本実施例では、洗浄率を向上させ、且つモータの熱による故障を防止して信頼性を上げることができる。また、実施例１に比べてマイコンは常に温度検知とモータ制御を行う必要は無く、マイコンの負荷を小さくすることができる。
【実施例６】
【００３５】
図１０（ａ）に本発明の他の実施例の運転時間とすすぎ水の温度とモータ２６の回転数との関係を、図１０（ｂ）にすすぎ水の温度とモータ２６の回転数の関係を示す。実施例１〜５では、洗浄工程においてモータ２６の回転数を制御するものであるが、本実施例は、加熱すすぎ工程においてモータ２６の回転数を制御するものである。加熱すすぎ工程でも、洗浄工程と同様にヒータ１６を動作させてすすぎ水の温度を上昇させているため、すすぎ水が高温になったときにはモータ２６の温度も高温になるため、モータ２６の回転数を低くすることが熱によるモータ２６の故障を防止する上で有効である。加熱すすぎ工程においても、すすぎ水の温度が低いときにはすすぎ水の噴射圧を高くしてすすぎを行い、また、すすぎ水の温度が高くなったときには、すすぎ水に洗剤等の食器に残った残留物質を溶解させるすすぎを行う。そこで、実施例１と同様に、サーミスタ１９ですすぎ水の温度を検出し、すすぎ水の温度が高くなるにつれてモータ２６の回転数を低くする制御を行う。これによって、すすぎを効率よく行うことができ、また、モータ２６の熱による故障も防ぐことができる。
【００３６】
また、実施例２のように、ヒータ１６の動作時間に応じてモータ２６の回転数を制御してもよい。実施例３のように、すすぎ水が所定の温度を超えたときにモータ２６の回転数を低くしてもよい。実施例４のように、すすぎ水が所定の温度に達してから所定時間経過後にモータ２６の回転数を低くしてもよい。実施例５のように、段階的にモータ２６の回転数を低くしてもよい。
【００３７】
また、加熱すすぎ工程では、すすぎ水の温度が７０〜８０℃と、洗浄工程の６０℃よりも高温になる。従って、加熱すすぎ工程のモータ２６の最低回転数は、洗浄工程の最低回転数よりも低くなる。
【図面の簡単な説明】
【００３８】
【図１】本発明の一実施例に係る食器洗い機の正面外観図である。
【図２】本発明の一実施例に係る食器洗い機の縦断面図である。
【図３】本発明の一実施例に係る食器洗い機を制御する制御回路のブロック図である。
【図４】本発明の一実施例に係る食器洗浄運転の工程のフローチャートである。
【図５】本発明の一実施例に係る運転時間、洗浄水の温度及びモータの回転数の関係を示す図である。
【図６】本発明の一実施例に係る運転時間、洗浄水の温度及びモータの回転数の関係を示す図である。
【図７】本発明の一実施例に係る運転時間、洗浄水の温度及びモータの回転数の関係を示す図である。
【図８】本発明の一実施例に係る運転時間、洗浄水の温度及びモータの回転数の関係を示す図である。
【図９】本発明の一実施例に係る運転時間、洗浄水の温度及びモータの回転数の関係を示す図である。
【図１０】本発明の一実施例に係る運転時間、すすぎ水の温度及びモータの回転数の関係を示す図である。
【図１１】一定時間運転した時の洗浄水の温度と洗浄率の関係を示す図である。
【図１２】洗浄水の温度を０℃、４５℃及び６０℃にしたときのモータの回転数と洗浄率の関係を示す図である。
【図１３】モータの回転数とモータの温度との関係を示す図である。
【符号の説明】
【００３９】
８…洗浄槽、９…洗浄ポンプ、１５…食器、１６…洗浄用ヒータ、１９…サーミスタ、２６…ＤＣブラシレスモータ、２７…保護装置、２８…電流検知回路、２９回転位置センサー…、３０…マイコン３０、３１…制御電源。
【図１】
2006020737.tif 000003
【図２】
2006020737.tif 000004
【図３】
2006020737.tif 000005
【図４】
2006020737.tif 000006
【図５】
2006020737.tif 000007
【図６】
2006020737.tif 000008
【図７】
2006020737.tif 000009
【図８】
2006020737.tif 000010
【図９】
2006020737.tif 000011
【図１０】
2006020737.tif 000012
【図１１】
2006020737.tif 000013
【図１２】
2006020737.tif 000014
【図１３】
2006020737.tif 000015